(57)【要約】  本発明は、洗濯機の給水装置及び洗濯機を開示する。洗濯機の給水経路には一方向連通装置が設けられている。前記一方向連通装置は、洗濯機の給水時に水圧を受けて開放され、給水完了後には閉止を維持する。本発明では、給水時にのみ洗浄槽と給水経路を連通し、乾燥等のプログラムを実行する際には給水経路と洗浄槽を遮断する。これにより、乾燥過程における熱損失や、給水経路に糸屑等の汚染物質が進入するとの課題が回避される。また、本発明の給水装置は、異なる給水経路から供給される洗浄水を受け付ける。且つ、タンクの流路分配室内の流路を用いて主給水と吸水ポンプとを並列接続することで、従来のような吸水ポンプのために独立して設置される給水弁を不要とする。本発明は、吸水ポンプを備える洗濯機と比較して、部品数が少なく、低コストであり、占有体積が小さい等の利点を有する。これにより、洗濯機は、風呂の残り湯等の別の水源を洗濯機の洗浄水として利用しやすくなり、使用水量を節約するとの目的が達せられる。【選択図】図５
2021504021.tif 000002
【特許請求の範囲】
【請求項１】
洗濯機の給水装置であって、
洗濯機の給水経路に一方向連通装置が設けられており、前記一方向連通装置は、洗濯機の給水時に水圧を受けて開放され、給水完了後に閉止を維持することを特徴とする給水装置。
【請求項２】
前記給水装置は給水経路と連通するタンクを含み、前記タンクはタンク吐水口を有して洗濯機の洗浄槽と連通し、前記一方向連通装置は、前記タンク吐水口に装着されて前記タンク吐水口の開／閉状態の切り替えを制御することを特徴とする請求項１に記載の洗濯機の給水装置。
【請求項３】
前記一方向連通装置はタンク吐水口に装着される一方向弁であり、
好ましくは、前記一方向弁の材質はゴムであることを特徴とする請求項２に記載の洗濯機の給水装置。
【請求項４】
前記洗濯機には洗浄槽と連通する乾燥モジュールが設けられており、前記乾燥モジュールは衣類の乾燥に用いられ、前記一方向連通装置は、衣類乾燥の実行時に洗浄槽内の空気が洗濯機の給水経路に進入するのを阻止するために用いられることを特徴とする請求項１に記載の洗濯機の給水装置。
【請求項５】
前記タンクは互いに連通する流路分配室と混水室を含み、前記流路分配室内には水流の方向を案内するための流路が設けられており、前記タンク吐水口は前記混水室に設けられることを特徴とする請求項３に記載の洗濯機の給水装置。
【請求項６】
洗濯機の給水装置は、タンクとそれぞれ連通して個別に給水可能な第１給水経路と第２給水経路を含み、前記第１給水経路は吸水ポンプを含み、前記流路分配室内には、第２給水経路と前記吸水ポンプのポンプ室を連通する第１流路が備わっていることを特徴とする請求項５に記載の洗濯機の給水装置。
【請求項７】
前記流路分配室は、第１流路とそれぞれ連通する第１給水端と第１吐水端を有し、前記第１給水端は第２給水経路と連通し、第１吐水端は前記吸水ポンプのポンプ室と連通し、前記流路分配室の第１給水端の設置高さは前記第１吐水端の設置高さよりも低く、
好ましくは、前記第１給水端と前記第１吐水端は、それぞれ前記流路分配室の対向する両側に設けられ、前記第１流路が前記流路分配室を横断していることを特徴とする請求項６に記載の洗濯機の給水装置。
【請求項８】
前記流路分配室内には第２流路が更に備わっており、前記流路分配室は第２流路とそれぞれ連通する第２給水端と第２吐水端を有し、前記第２給水端は第１流路と連通し、前記第２吐水端は前記混水室と連通することを特徴とする請求項６に記載の洗濯機の給水装置。
【請求項９】
前記流路分配室内には、吸水ポンプ内の水をタンクに流入させるよう案内する流路であって、前記吸水ポンプの排水口と連通する第３流路が更に設けられており、前記流路分配室は第３流路とそれぞれ連通する第３給水端と第３吐水端を有し、前記第３給水端は前記吸水ポンプの排水口と連通し、前記第３流路の第３吐水端は前記混水室と連通することを特徴とする請求項８に記載の洗濯機の給水装置。
【請求項１０】
請求項１〜９のいずれかに記載の洗濯機の給水装置を応用する洗濯機であって、
洗濯機の給水経路には一方向連通装置が設けられており、前記一方向連通装置は、洗濯機の給水時に水圧を受けて開放され、給水完了後に閉止を維持することを特徴とする洗濯機。
【発明の詳細な説明】
【技術分野】
【０００１】
本発明は洗濯機の分野に属し、具体的には、洗濯機の給水装置及び洗濯機に関するものである。
【背景技術】
【０００２】
生活水準の向上が続くに伴って、入浴時に湯船に浸かる家庭が増えている。しかし、入浴後に浴槽内の水をそのまま排水していたのでは大変な無駄となる。また、水資源が日に日に逼迫していることから、廃水の再利用はとりわけ重要と思われる。一方で、多くの家庭に洗濯機が普及しており、生活用水のかなりの部分を洗濯機の使用水量が占めている。そこで、これらを如何に連携させて水を十分に活用するかが人々の多大な関心事となっている。日本では、１９９０年代から風呂の残り湯を衣類洗浄に利用し初めており、風呂の残り湯で衣類を洗浄可能な洗濯機が開発されている。風呂の残り湯を利用する洗濯機では生活用水の再利用が実現されることから、洗濯機の使用水量が大幅に減少する。
【０００３】
また、通常の洗濯乾燥機は、洗浄槽に投入された衣類を洗浄可能であるとともに、洗浄完了後には、選択されたプログラムに基づいて衣類を乾燥させることが可能である。乾燥過程では、加熱装置の作用により、乾燥した空気を加熱管内で加熱することで乾燥した熱い空気を形成する。これを洗浄槽に導入し、洗浄槽内の濡れた衣類との間で熱交換を発生させることで、衣類中の水分を除去してやや湿った熱い空気を形成する。このやや湿った熱い空気は洗浄槽に設置された出口から凝縮アセンブリに進入し、凝縮アセンブリの凝縮作用によって、やや湿った熱い空気中の水分が凝縮して水となる。これが排水管から排出されることで、凝縮された空気は相対的に乾燥した冷たい空気となる。この空気はファンの作用によって再び加熱管に導入され、加熱されることで乾燥した熱い空気となって次のサイクルに突入する。これを乾燥プログラムが終了するまで繰り返す。
【０００４】
衣類の洗浄及び乾燥過程では、多くの毛羽やその他の異物（以下、毛羽とする）の発生が不可避である。毛羽は湿った熱い空気とともに給水口から給水経路へと直接進入し、給水経路を汚染するだけでなく、洗濯機の給水経路のクリーニングコストを増加させる。また、深刻な場合には給水経路を詰まらせる恐れもある。
【０００５】
以上に鑑みて、本発明を提案する。
【発明の概要】
【発明が解決しようとする課題】
【０００６】
本発明は、従来技術の瑕疵を解消し、給水時にのみ洗浄槽と給水経路を連通し、乾燥等のプログラムを実行する際には給水経路と洗浄槽を遮断する洗濯機の給水装置及び洗濯機を提供することを解決しようとする技術的課題とする。これにより、乾燥過程における熱損失や、給水経路に糸屑等の汚染物質が進入するとの課題が回避される。また、本発明の給水装置は、異なる給水経路から供給される洗浄水を受け付ける。且つ、タンクの流路分配室内の流路を用いて主給水と吸水ポンプとを並列接続することで、従来のような吸水ポンプのために独立して設置される給水弁を不要とする。本発明は、吸水ポンプを備える洗濯機と比較して、部品数が少なく、低コストであり、占有体積が小さい等の利点を有する。これにより、洗濯機は、風呂の残り湯等の別の水源を洗濯機の洗浄水として利用しやすくなり、使用水量を節約するとの目的が達せられる。
【課題を解決するための手段】
【０００７】
上記の目的を実現するために、本発明では以下の技術方案を用いる。
【０００８】
洗濯機の給水装置であって、洗濯機の給水経路には一方向連通装置が設けられている。前記一方向連通装置は、洗濯機の給水時に水圧を受けて開放され、給水完了後には閉止を維持する。
【０００９】
更に、前記給水装置は給水経路と連通するタンクを含む。前記タンクはタンク吐水口を有して洗濯機の洗浄槽と連通する。前記一方向連通装置は、前記タンク吐水口に装着されて前記タンク吐水口の開／閉状態の切り替えを制御する。
【００１０】
更に、前記一方向連通装置はタンク吐水口に装着される一方向弁である。好ましくは、前記一方向弁の材質はゴムである。
【００１１】
更に、前記洗濯機には洗浄槽と連通する乾燥モジュールが設けられている。前記乾燥モジュールは衣類の乾燥に用いられる。前記一方向連通装置は、衣類乾燥の実行時に洗浄槽内の空気が洗濯機の給水経路に進入するのを阻止するために用いられる。
【００１２】
更に、前記タンクは互いに連通する流路分配室と混水室を含む。前記流路分配室内には水流の方向を案内するための流路が設けられており、前記タンク吐水口は前記混水室に設けられる。
【００１３】
更に、洗濯機の給水装置は、タンクとそれぞれ連通して個別に給水可能な第１給水経路と第２給水経路を含む。前記第１給水経路は吸水ポンプを含み、前記流路分配室内には、第２給水経路と前記吸水ポンプのポンプ室を連通する第１流路が備わっている。
【００１４】
更に、前記流路分配室は、第１流路とそれぞれ連通する第１給水端と第１吐水端を有する。前記第１給水端は第２給水経路と連通し、第１吐水端は前記吸水ポンプのポンプ室と連通する。前記流路分配室の第１給水端の設置高さは前記第１吐水端の設置高さよりも低くなっている。好ましくは、前記第１給水端と前記第１吐水端は、それぞれ前記流路分配室の対向する両側に設けられ、前記第１流路が前記流路分配室を横断している。
【００１５】
更に、前記流路分配室内には第２流路が更に備わっている。前記流路分配室は第２流路とそれぞれ連通する第２給水端と第２吐水端を有する。前記第２給水端は第１流路と連通し、前記第２吐水端は前記混水室と連通する。
【００１６】
更に、前記流路分配室内には、吸水ポンプ内の水をタンクに流入させるよう案内する流路であって、前記吸水ポンプの排水口と連通する第３流路が更に設けられている。前記流路分配室は第３流路とそれぞれ連通する第３給水端と第３吐水端を有する。前記第３給水端は前記吸水ポンプの排水口と連通し、前記第３流路の第３吐水端は前記混水室と連通する。
【００１７】
上述したいずれかの洗濯機の給水装置を応用する洗濯機であって、洗濯機の給水経路には一方向連通装置が設けられている。前記一方向連通装置は、洗濯機の給水時に水圧を受けて開放され、給水完了後には閉止を維持する。
【発明の効果】
【００１８】
上記の技術方案を用いることで、本発明は従来技術と比較して以下の有益な効果を有する。
【００１９】
本発明における洗濯機の給水装置及び洗濯機は、洗濯機の給水経路に一方向連通装置が設けられている。前記一方向連通装置は、洗濯機の給水時に水圧を受けて開放され、給水完了後には閉止を維持する。洗浄槽は給水時にのみ給水経路と連通し、乾燥等のプログラムを実行する際には給水経路と洗浄槽を遮断する。これにより、乾燥過程における熱損失や、給水経路に糸屑等の汚染物質が進入するとの課題が回避される。
【００２０】
前記給水装置は給水経路と連通するタンクを含み、当該一方向連通装置は洗濯機のタンクの吐水口に設けられている。当該タンクは、洗浄槽と連通して個別に給水可能な第１給水経路及び第２給水経路と連通する。前記第１給水経路は吸水ポンプを含み、前記第２給水経路は前記吸水ポンプと連通する。これにより、主吸水と吸水ポンプとの並列接続が実現されるため、給水経路への給水と同時に吸水ポンプのポンプ室への潅水、即ち呼び水のプロセスも実現される。その結果、吸水ポンプは給水経路の開放後に迅速に起動可能となるため、従来のような吸水ポンプを起動するための呼び水に必要とされる独立した導水用の給水弁は省略される。よって、従来の吸水ポンプを備える洗濯機と比較して部品数が少なく、低コストとなり、且つ占有体積が小さくなる。
【００２１】
この目的を実現するために、本発明では、タンク内に、前記吸水ポンプのポンプ室に水流を流入させるよう案内する第１流路を設けている。当該第１流路は、吸水ポンプとは独立した給水経路と直接連通する。タンク内の流路の配置によって上記の呼び水用水路による案内を実現しているため、従来の洗濯機を改造する際のコストが抑えられる。また、タンクを交換することで、洗濯機に吸水ポンプによる吸水機能を素早く持たせることが可能である。
【００２２】
本発明における流路分配室の第１給水端の設置高さが前記第１吐水端の設置高さよりも低く、第１給水端と前記第１吐水端がそれぞれ前記流路分配室の対向する両側に設けられるとの設計は、タンクからの溢流によってポンプへの呼び水を完了するためのものである。このような方式によれば、給水回路の長さを延長できるだけでなく、給水にエネルギーが緩衝する領域を提供可能となる。これにより、給水時の水流の衝撃が低減し、タンクへの水流進入後の流動性を低下させられるため、水流をより安定的に流路の導流方向に従って流動させることが可能となる。
【００２３】
タンクの流路分配室の下部には混水室が設けられており、混水室が洗浄槽と連通する。また、混水室と流路分配室は複数の開口を通じて連通している。これにより、異なる流路からの水流が最終的に混水室に合流可能となり、最後には、洗浄槽に向けて開放された混水室の開口から洗浄槽へと流入するよう保証している。
【００２４】
本発明における混水室の吐水口には一方向弁が更に設けられている。前記一方向弁は、圧力の有／無に応じて閉止／開放状態を維持することで、当該吐水口の開／閉状態の切り替えを制御する。これにより、給水時にのみ洗浄槽を給水経路と連通し、乾燥等のプログラムを実行する際には給水経路と洗浄槽を遮断する。よって、乾燥過程における熱損失や、給水経路に糸屑等の汚染物質が進入するとの課題が回避される。
【００２５】
本発明では、第１流路における呼び水用の水以外の水を第２流路を通じて洗浄槽に流入させることで、主給水と吸水ポンプとの並列接続を実現しているため、吸水速度が上昇する。また、吸水ポンプが吸い込んだ水は、流路分配室内に設けられる第３流路を通じて洗浄槽へと流入し、洗濯機に洗浄水を供給する。且つ、吸水ポンプの起動後は、給水弁を閉じることで第１流路への給水を停止し、吸水ポンプのみで給水を行ってもよい。吸水ポンプは吸水機能を有するため、日常生活で蓄えられたその他の水を洗濯機に吸い込むことが可能である。特に、吸水ポンプは家庭の浴槽といった大型の貯水装置と連通可能なため、使用水量を大幅に節約するとの目的が達せられる。
【００２６】
以下に、図面を組み合わせて、本発明の具体的実施形態につき更に詳細に述べる。
【００２７】
図面は、本発明の一部として本発明の更なる理解のために用いられる。また、本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２８】
【図１】図１は、本発明に係る洗濯機の給水装置及び洗濯機におけるタンクアセンブリの正面図である。
【図２】図２は、本発明に係る洗濯機の給水装置及び洗濯機におけるタンクアセンブリに上蓋を被せた場合の平面図である。
【図３】図３は、本発明に係る洗濯機の給水装置及び洗濯機におけるタンクアセンブリから上蓋を取り外した場合の平面図である。
【図４】図４は、本発明に係る洗濯機の給水装置及び洗濯機におけるタンクを洗濯機のパネルベースに装着した場合を示す図である。
【図５】図５は、本発明における洗濯機の給水装置アセンブリを示す図である。
【図６】図６は、本発明における洗濯機の給水装置の一方向弁を示す図である。
【発明を実施するための形態】
【００２９】
なお、これらの図面及び文字記載は何らかの方式で本発明の構想の範囲を制限するとの意図ではなく、特定の実施例を参照して当業者に本発明の概念を説明するためのものである。
【００３０】
本発明における実施例の目的、技術方案及び利点をより明確とすべく、以下では本発明の実施例に係る図面を組み合わせて実施例の技術方案につき明瞭簡潔に述べる。なお、以下の実施例は本発明を説明するためのものであって、本発明の範囲を制限するものではない。
【００３１】
本発明の記載において、「上」、「下」、「前」、「後」、「左」、「右」、「垂直」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００３２】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【００３３】
図１〜図６に示すように、本発明は、洗濯機の給水装置及び洗濯機について開示する。洗濯機の給水経路には一方向連通装置が設けられている。前記一方向連通装置は、洗濯機の給水時に水圧を受けて開放され、給水完了後には閉止を維持する。本発明では、給水時にのみ洗浄槽と給水経路を連通し、乾燥等のプログラムを実行する際には給水経路と洗浄槽を遮断する。これにより、乾燥過程における熱損失や、給水経路に糸屑等の汚染物質が進入するとの課題が回避される。また、本発明の給水装置は、異なる給水経路から供給される洗浄水を受け付ける。且つ、タンクの流路分配室内の流路を用いて主給水と吸水ポンプとを並列接続することで、従来のような吸水ポンプのために独立して設置される給水弁を不要とする。本発明は、吸水ポンプを備える洗濯機と比較して、部品数が少なく、低コストであり、占有体積が小さい等の利点を有する。これにより、洗濯機は、風呂の残り湯等の別の水源を洗濯機の洗浄水として利用しやすくなり、使用水量を節約するとの目的が達せられる。
【実施例１】
【００３４】
図１〜図６に示すように、本実施例は洗濯機の給水装置について開示する。当該洗濯機の給水経路には一方向連通装置が設けられている。前記一方向連通装置は、洗濯機の給水時に水圧を受けて開放され、給水完了後には閉止を維持する。
【００３５】
図示するように、前記給水装置は給水経路と連通するタンク１を含む。前記タンク１は吐水口６１を有して洗濯機の洗浄槽と連通する。前記一方向連通装置は前記吐水口６１に装着されて、前記吐水口６１の開／閉状態の切り替えを制御する。
【００３６】
本実施例において、前記一方向連通装置は吐水口６１に装着される一方向弁６２である。なお、図６に示す前記一方向弁の材質はゴムである。
【００３７】
図５に示すように、本実施例の前記洗濯機には、洗浄槽と連通する乾燥モジュール１３が設けられている。前記乾燥モジュール１３は衣類の乾燥に用いられる。前記一方向弁６２は、衣類乾燥の実行時に洗浄槽内の空気が洗濯機の給水経路に進入するのを阻止するために用いられる。
【００３８】
当該給水装置は、タンク１とそれぞれ連通して個別に給水可能な第１給水経路と第２給水経路を含む。前記第１給水経路は吸水ポンプ２を含み、前記第２給水経路は前記吸水ポンプ２と連通する。本実施例において、第２給水経路は、水道の給水経路を通じて洗浄槽に給水するものである。
【００３９】
前記第１給水経路の吸水ポンプ２と第２給水経路はそれぞれタンク１と連通する。タンク１はタンク上蓋１１を含む。また、前記タンク１は流路分配室５を含む。前記流路分配室５には、前記吸水ポンプ２のポンプ室に水流を流入させるよう案内する第１流路５１が設けられている。これにより、第２給水経路と前記吸水ポンプのポンプ室との連通を実現している。
【００４０】
前記吸水ポンプ２には吸水ポンプ導水口２１が設けられており、吸水ポンプ２の動作によって、別の水源からの水を洗浄槽に吸い込んで洗濯機の洗浄に利用することが可能となる。本発明では、当該吸水ポンプ２を使用し、吸水ポンプ導水口２１を家庭の浴槽と連通することで、風呂の残り湯を利用して洗濯を実施する機能を実現可能となる。これにより、洗濯機の使用水量が減少する。
【００４１】
本発明の洗濯機は、更に、前記吸水ポンプ２とは独立した給水経路を含む。本実施例において、当該給水経路は家庭の水道と連通し、給水弁９によって開閉制御が行われる。前記流路分配室５は、第１流路５１とそれぞれ連通する第１給水端５１１と第１吐水端５１２を有する。前記第１給水端５１１は洗濯機の給水経路と連通し、第１吐水端５１２は前記吸水ポンプ２のポンプ室と連通する。
【００４２】
一般的に、吸水ポンプは動作の前に、ポンプ室に液体を充満させる呼び水を行わねばならない。そのためには、当該吸水ポンプのポンプ室に水流を流入させるよう制御する独立した給水弁が必要となり、呼び水作業の完了後にようやく吸水ポンプの正常な動作を開始可能となる。これに対し、本発明の第１流路５１は、吸水ポンプ２とは独立した給水経路と直接連通する。これにより、主吸水と吸水ポンプ２との並列接続が実現されるため、給水経路への給水と同時に吸水ポンプ２のポンプ室への潅水、即ち呼び水のプロセスも実現される。その結果、吸水ポンプは給水経路の開放後に迅速に起動可能となるため、従来のような吸水ポンプを起動するための呼び水に必要とされる独立した導水用の給水弁は省略される。よって、従来の吸水ポンプを備える洗濯機と比較して、部品数が少なく、低コストとなり、且つ占有体積が小さくなる。
【００４３】
流路の導流作用をより良好に実現するために、図３に示すように、本実施例における流路分配室５の第１給水端５１１の設置高さは、前記第１吐水端５１２の設置高さよりも低くなっている。且つ、前記第１給水端５１１と前記第１吐水端５１２は、それぞれ前記流路分配室５の対向する両側に設けられており、前記第１流路が前記流路分配室を横断している。このような方式によれば、給水回路の長さを延長できるだけでなく、給水にエネルギーが緩衝する領域を提供可能となる。これにより、給水時の水流の衝撃が低減し、タンクへの水流進入後の流動性を低下させられるため、水流をより安定的に流路の導流方向に従って流動させることが可能となる。
【００４４】
言うまでもなく、第１給水端５１１の設置高さが前記第１吐水端５１２の設置高さよりも低くなっていることから、洗濯機の使用完了後には、第１流路５１の第１給水端５１１付近に水溜まりができる恐れがあり、これが衛生面での潜在的リスクとなり得る。このような状況の発生を回避するために、図３に示すように、本実施例では、第１流路５１の底部における第１給水端５１１付近に、前記第１流路５１内の第１給水端５１１付近の溜水を排出するための開口を開設している。前記開口は溜水排水口５１３である。溜水排水口５１３の断面は第１給水端５１１の断面よりも遥かに小さいため、第１流路５１内で水が流動する際に大量の水が漏れ出すことはない。一方で、洗濯機が給水を停止したあとは、当該溜水排水口５１３を通じて流路から当該箇所の溜水を排出可能となる。
【００４５】
図１及び図４に示すように、前記タンクは、前記流路分配室と連通し且つ前記流路分配室の下方に位置する混水室６を更に含む。前記混水室６は、吐水口６１を通じて洗浄槽と連通し、分配室内の異なる流路からの水を、洗濯機での洗浄に使用するために当該吐水口６１を通じて洗浄槽６１に流入させる。
【００４６】
図３に示すように、前記流路分配室５内には第２流路５２が更に備わっている。また、前記流路分配室５は、第２流路５２とそれぞれ連通する第２給水端５２１と第２吐水端５２２を有する。前記第２給水端５２１は第１流路５１と連通する。前記第２吐水端５２２は、前記流路分配室５の底部に位置する開口であり、前記混水室６と連通する。本実施例において、第２流路５２の役割は、第１流路５１と連携して給水経路から洗濯機への給水（本実施例では水道水）を実現することである。即ち、第１流路５１が給水経路から引き込む水流の流動方向には、第１吐水端５１２を通じて吸水ポンプのポンプ室に流入する方向と、第２流路５２を通じて混水室６から洗浄槽に流入する方向の２つが存在する。
【００４７】
図３に示すように、本実施例の前記第２吐水端５２２は、前記流路分配室５の底部に位置する開口であり、当該開口は下方の混水室６と直接連通する。同様に、第１流路５１における溜水排水口５１３も前記混水室６と連通しており、溜水を混水室６に排出する。溜水は、最終的に吐水口６１を通じて洗濯機の洗浄槽に進入する。
【００４８】
本実施例におけるタンク及び当該タンクを使用する洗濯機は、一般的な洗濯機と比較して、吸水ポンプで吸い込んだ風呂の残り湯等のその他の回収水を用いて洗濯機能を遂行可能なことが最大の利点である。そのため、本実施例の流路分配室５内には、吸水ポンプ２内の水をタンク１に流入させるよう案内する流路であって、前記吸水ポンプ２の排水口と連通する第３流路５３が更に設けられている。また、前記流路分配室５は、第３流路５３とそれぞれ連通する第３給水端５３１と第３吐水端５３２を有する。前記第３給水端５３１は前記吸水ポンプの排水口と連通し、前記第３流路５３の第３吐水端５３２は前記混水室６と連通する。図３に示すように、前記第３吐水端５３２は、前記流路分配室５の底部に開設される開口である。
【００４９】
本実施例において、第１吐水端５１２の断面は前記第３給水端５３１の断面よりも小さくなっている。これは、呼び水のための水量は多くはないが、吸水ポンプの運転開始後には排水口における水量が大きくなるからであり、実際に必要な水量に合わせて双方の断面を異ならせている。これにより、水管の材料が節約される。
【００５０】
本実施例における前記第１吐水端５１２は、前記吸水ポンプ２のポンプ室と連通する水管である。前記流路分配室５の側壁には開口ａ７が設けられており、第１吐水端５１２が開口ａ７に接続される。前記第３給水端５３１は、前記吸水ポンプの排水口と連通する水管である。前記流路分配室５の側壁には開口ｂ８が設けられており、第３給水端５３１が開口ｂ８に接続される。前記開口ａ７と開口ｂ８は、前記流路分配室５における吸水ポンプ側寄りの同一の側壁に位置している。第３流路の役割は、別の水源からの水を吸水ポンプを通じて洗浄槽に案内するプロセスを実現することである。
【実施例２】
【００５１】
図１〜図４に示すように、本実施例は実施例１の補足である。本実施例において、前記第２給水経路は更に分岐給水経路を含む。即ち、図中の第１吸水分岐路３と第２吸水分岐路４を含む。前記第１吸水分岐路３は、前記タンク１を通じて前記吸水ポンプ２のポンプ室及び洗濯機の洗浄槽とそれぞれ連通する。また、前記第２吸水分岐路４は、タンク１を通じて洗濯機の洗浄槽と連通する。
【００５２】
前記流路分配室５内には、更に、前記第２吸水分岐路４からの水流をタンク１に流入させるよう案内する第４流路５４が設けられている。また、前記流路分配室５は、第４流路５４とそれぞれ連通する第４給水端５４１と第４吐水端５４２を有する。第４流路５４は添加剤室１２と連通している。前記第４吐水端５４２は、前記流路分配室５の底部における２つの丸孔であり、前記混水室６と連通して洗浄槽に添加剤を投入するために用いられる。図示するように、本実施例の添加剤は柔軟剤である。前記柔軟剤は、洗濯の最後のすすぎ中に前記洗浄槽に流し込むことで投入される。
【００５３】
柔軟剤の投入に必要な水量は洗浄用の水よりも遥かに少ない。よって、前記第１吸水分岐路３と第２吸水分岐路４は異なる給水口を有しており、前記第１吸水分岐路３の給水量が前記第２吸水分岐路４の給水量よりも大きくなっている。即ち、前記第１吸水分岐路３の給水口の断面は前記第２吸水分岐路４の給水口の断面よりも大きく、前記第４給水端５４１の断面は前記第１給水端５１１の断面よりも小さい。
【００５４】
更に、給水装置は給水弁９を含む。前記給水弁９は、前記第１吸水分岐路３と第２吸水分岐路４の給水口と連通し、前記第１吸水分岐路３と第２吸水分岐路４からの給水を制御するために用いられる。
【実施例３】
【００５５】
本実施例は、上記実施例のいずれかで記載した洗濯機のタンクを応用する洗濯機について開示する。前記洗濯機は、洗浄槽とそれぞれ連通して個別に給水可能な第１給水経路と第２給水経路を含む。前記第１給水経路は吸水ポンプ２を含み、前記第２給水経路は前記吸水ポンプ２と連通する。
【００５６】
図３及び図４に示すように、前記洗濯機には装着部材１０が更に設けられている。前記装着部材１０は装着部を含む。前記装着部によって、洗濯機のタンク１、給水ポンプ２及び給水弁９が取り外し可能に前記装着部材１０に固定接続される。また、前記装着部材１０を洗濯機のパネルベースに固定装着することで、前記パーツが前記洗濯機に固定される。
【００５７】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて実施可能なわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００５８】
１  タンク
２  吸水ポンプ
２１  吸水ポンプ導水口
３  第１吸水分岐路
４  第２吸水分岐路
５  流路分配室
５１  第１流路
５１１  第１給水端
５１２  第１吐水端
５１３  溜水排水口
５２  第２流路
５２１  第２給水端
５２２  第２吐水端
５３  第３流路
５３１  第３給水端
５３２  第３吐水端
５４  第４流路
５４１  第４給水端
５４２  第４吐水端
６  混水室
６１  吐水口
６２  一方向弁
７  開口ａ
８  開口ｂ
９  給水弁
１０  装着部材
１１  タンク上蓋
１２  添加剤室
１３  乾燥モジュール
【図１】
2021504021.tif 000003
【図２】
2021504021.tif 000004
【図３】
2021504021.tif 000005
【図４】
2021504021.tif 000006
【図５】
2021504021.tif 000007
【図６】
2021504021.tif 000008
【国際調査報告】
2021504021.tif 000009
2021504021.tif 000010
2021504021.tif 000011
2021504021.tif 000012
2021504021.tif 000013